(57)【要約】      （修正有）【課題】通気性に優れたシャツを提供する。【解決手段】シャツ１Ａの後身頃部１１を、少なくとも肩部から腰部にかけて、通気布１４とこの通気布１４を覆う布地とで２重構造とし、さらに後身頃部１１の通気布１４を覆う布地をヨーク部１１１と背腰部１１２とからなるものとし、ヨーク部１１１の下縁部１１１ａと背腰部１１２の上縁部１１２ａとを重ね、通気布１４と共に個所を適宜の間隔で閂止めＡにより縫着し、さらにまた、通気布１４を、ヨーク部１１１の下縁部１１１ａと背腰部１１２の上縁部１１２ａが重ねられている位置に対応する重ね合わせ部１４１において背腰部１１２の上縁部１１２ａと水平方向に縫着し、後身頃部１１における閂止めＡにより、ヨーク部１１１と背腰部１１２との間に通気口Ｈを形成し、通気布１４を通じて外気が人肌に触れるものとする。【選択図】図３
0003164252.tif 000002
【実用新案登録請求の範囲】
【請求項１】
人肌に接する側の肩部から腰部までを、通気性の良いメッシュ素材の通気布とし、この通気布を覆うようにカバー布を配置して後身頃を２重構造にして構成したシャツであって、
前記カバー布は、ヨーク部カバー布と背腰部カバー布とからなり、
この背腰部カバー布と前記ヨーク部カバー布と前記通気布とは、間隔をおいて複数個所、閂止めにより縫着され、前身頃との境界では前記前身頃とともに、袖との境界では前記袖とともに、それぞれ縫着され、
前記通気布は、一部に折り返し部を備え、この折り返し部にて前記背腰部カバー布の上縁部とさらに縫着されていて、
前記ヨーク部カバー布と前記背腰部カバー布との間には、前記閂止めによって外気へ通じる通気口が形成されてなる、
ことを特徴とするシャツ。
【請求項２】
人肌に接する側の肩部から腰部までを、通気性の良いメッシュ素材の通気布とし、この通気布を覆うようにカバー布を配置して後身頃を２重構造にして構成したシャツであって、
前記通気布と前記カバー布とは、間隔をおいて複数個所、閂止めにより縫着され、前身頃との境界では前記前身頃とともに、袖との境界では前記袖とともに、それぞれ縫着され、
前記通気布と前記カバー布の間には、前記閂止めによって外気へ通じる通気口が形成されてなる、
ことを特徴とするシャツ。
【考案の詳細な説明】
【技術分野】
【０００１】
本考案は、着用時に発汗などによって内部が蒸れることを防止するシャツに関し、メッシュ素材等の通気性素材を外部に露出させないでも外気を取入れられる通気性に優れたシャツに関する。
【背景技術】
【０００２】
近年、温室効果ガス削減のため、夏のエアコンの設定温度を２８度にすることが推奨されている。また、夏のノーネクタイ、ノー上着ファッションで涼しく過ごす「クールビズ」と称されるビジネススタイルが浸透している。ただし、季節に関わらずワイシャツにネクタイの着用が通常スタイルであるサラリーマンの場合、客との打合せではネクタイの着用が通常スタイルであるので、２８度前後の弱冷房の環境下となると、発汗などによってシャツ内部が蒸れてしまうのが現状である。
【０００３】
着用時の発汗などによって内部が蒸れることを防止するシャツとしては、通気性の良い通気性素材を着用状態で外部から見えない位置に有するシャツが提案されている。例えば、下記特許文献１では、シャツの袖付け縁辺と袖下辺の角部の布地が切り取られ、代わりにメッシュ素材が取り付けられるととともに、肩ヨークに他の部分の布地より吸水性に優れる吸水布部と、メッシュ素材部とが合わされた構成とした発明が提案されている。
【先行技術文献】
【特許文献】
【０００４】
【特許文献１】特開２００３−２３９１０１号公報
【特許文献２】実用新案登録第３１２０５６５号公報
【０００５】
しかし、特許文献１にて提案された発明では、ヨークに取付けたメッシュ素材が、吸水布部で被われているので、発汗後に吸水すると通気性が悪くなるという問題がある。また、シャツの袖付け縁辺と袖下辺の角部にメッシュ素材を取付けた構造であれば、外部に露出させることで初めて外気を取入れることが可能になるため、外観の体裁が悪いといった問題が生じることになる。
【０００６】
上記問題を解決するため、本出願人は、上記特許文献２に係る考案を提案するに至っている。この考案は、概説すれば、メッシュ素材等の通気性素材を外部に露出させないでも外気を取入れられる通気性に優れたシャツを提供するものである。
【考案の概要】
【考案が解決しようとする課題】
【０００７】
上述のように、着用時の発汗などによって内部が蒸れることを防止するシャツが複数提案されているが、通気性が悪くなる、メッシュ素材が外部に露出して外観の体裁が悪くなるという問題があった。さらに、通気性の良い通気性素材を着用状態で外部から見えないシャツとして本願出願人が提案する考案についても、さらに改良を加えることで、夏を涼しく過ごす「クールビズ」と称されるビジネススタイルを、さらに浸透させていきたいという要求がある。
【０００８】
この考案は、上記実情に鑑み提案されたもので、メッシュ素材等の通気性素材を外部に露出させないでも外気を取入れられる通気性に優れたシャツを提供することを目的とする。
【課題を解決するための手段】
【０００９】
上記目的を達成するため、本考案は、人肌に接する側の肩部から腰部までを、通気性の良いメッシュ素材の通気布とし、この通気布を覆うようにカバー布を配置して後身頃を２重構造にして構成したシャツであって、前記カバー布は、ヨーク部カバー布と背腰部カバー布とからなり、この背腰部カバー布と前記ヨーク部カバー布と前記通気布とは、間隔をおいて複数個所、閂止めにより縫着され、前身頃との境界では前記前身頃とともに、袖との境界では前記袖とともに、それぞれ縫着され、前記通気布は、一部に折り返し部を備え、この折り返し部にて前記背腰部カバー布の上縁部とさらに縫着されていて、前記ヨーク部カバー布と前記背腰部カバー布との間には、前記閂止めによって外気へ通じる通気口が形成されてなることを特徴とする。
【００１０】
また本考案は、人肌に接する側の肩部から腰部までを、通気性の良いメッシュ素材の通気布とし、この通気布を覆うようにカバー布を配置して後身頃を２重構造にして構成したシャツであって、前記通気布と前記カバー布とは、間隔をおいて複数個所、閂止めにより縫着され、前身頃との境界では前記前身頃とともに、袖との境界では前記袖とともに、それぞれ縫着され、前記通気布と前記カバー布の間には、前記閂止めによって外気へ通じる通気口が形成されてなることを特徴とする。
【考案の効果】
【００１１】
本考案は、人肌に接する側の肩部から腰部までを、通気性の良いメッシュ素材の通気布とし、この通気布を覆うようにカバー布を配置して後身頃を２重構造にし、特に、カバー布を、ヨーク部カバー布と背腰部カバー布とからなるものとして構成したシャツを提供するものである。したがって、メッシュ素材の通気布により、発汗などによってシャツ内部が蒸れてしまうことを防ぐことができ、この通気布を覆うようにカバー布（背腰部カバー布、ヨーク部カバー布）を配置しているので、外部から通気布が見えることないのでデザイン的に優れるものとすることができる。通気布と背腰部カバー布、ヨーク部カバー布を、間隔をおいて複数個所、閂止めにより縫着し、かつ、前身頃、袖とともにそれぞれ縫着し、さらに、通気布の一部に折り返し部を備えさせ、この折り返し部にて背腰部カバー布の上縁部と縫着したので、着用時に通気布と背腰部カバー布、あるいは、通気布とヨーク部カバー布とがずれて着心地が悪いといった問題も生じさせないものとすることができる。また、ヨーク部カバー布と背腰部カバー布との間に、閂止めによって外気へ通じる通気口を形成しているので、メッシュ素材の通気布を採用したことに加えて、より一層通気性のよいシャツとして提供することができる。なお、本考案は、上記のような構成により、ヨーク部カバー布が外観に現れることで、デザイン的にも優れるシャツとすることができる。
【００１２】
また本考案では、人肌に接する側の肩部から腰部までを、通気性の良いメッシュ素材の通気布とし、この通気布を覆うようにカバー布を配置して後身頃を２重構造にして構成し、特に、通気布とカバー布とを、間隔をおいて複数個所、閂止めにより縫着し、前身頃および袖との境界にて、それぞれ前身頃および袖とともに縫着してなり、通気布とカバー布の間に、閂止めによって外気へ通じる通気口を形成した場合にも、上記考案のシャツと同様、メッシュ素材の通気布により、発汗などによってシャツ内部が蒸れてしまうことを防ぐことができ、外部から通気布が見えることないのでデザイン的に優れるものとすることができる。さらに、通着用時に通気布とカバー布とがずれて着心地が悪いといった問題も生じさせず、かつ、通気布とカバー布の間の通気口がより一層通気性のよさをもたらすものとなる。なお、本考案は、上記のような構成により、外観がスッキリとしたものになるので、デザイン的にさらに優れるものとすることができる。
【図面の簡単な説明】
【００１３】
【図１】本考案における第１実施形態のシャツの裏面から見た背面図である。
【図２】本考案における第１実施形態のシャツの表面から見た背面図である。
【図３】本考案における第１実施形態のシャツの裏面から見た斜視図であって、２重構造の要部を理解するために一部を破断した一部破断要部斜視図である。
【図４】本考案における第２実施形態のシャツの裏面から見た背面図である。
【図５】本考案における第２実施形態のシャツの表面から見た背面図である。
【図６】本考案における第２実施形態のシャツの裏面から見た斜視図である。
【考案を実施するための形態】
【００１４】
以下、本考案に係る実施形態をいくつか、図面を参照しつつ説明する。
【００１５】
（第１実施形態）
図１、図２および図３に示すように、本考案に係るシャツ１Ａは、布地によって作られる長袖のワイシャツであり、左右の前身頃部、後身頃部１１、左右の袖部１２ａ，１２ｂ、衿部１３から構成されている。また、左の前身頃部には、胸ポケットが設けられている。さらに、図１および図３に示すように、後身頃部１１の裏面には、人肌に接する側の肩部から腰部にかけて、通気性の良いメッシュ素材の通気布１４が配置され、この通気布１４を覆うように布地が配置されている。
【００１６】
すなわち、本考案に係るシャツ１Ａは、後身頃部１１において、少なくとも肩部から腰部にかけて、通気布１４とこの通気布１４を覆う布地とで２重構造として構成されるものである。なお、左右の前身頃部、後身頃部１１の通気布１４を覆う布地、左右の袖部１２ａ，１２ｂ、衿部１３および胸ポケットは、同じ布地で形成されている。
【００１７】
ここで、後身頃部１１の通気布１４を覆う布地は、図１示すように、ヨーク部１１１と背腰部１１２とからなる。また、図３に示すように、ヨーク部１１１の下縁部１１１ａと背腰部１１２の上縁部１１２ａとは重ねられて、通気布１４と共に個所を適宜の間隔で閂止めＡにより縫着されている。通気布１４は、ヨーク部１１１の下縁部１１１ａと背腰部１１２の上縁部１１２ａが重ねられた位置に対応する位置にて、折り返して重ね合わされる重ね合わせ部１４１が形成され、この重ね合わせ部１４１において背腰部１１２の上縁部１１２ａと水平方向に縫着されている。
【００１８】
これにより、本考案に係るシャツ１Ａは、後身頃部１１における閂止めＡにより、ヨーク部１１１と背腰部１１２との間に通気口Ｈが形成され、通気布１４を通じて外気（図２にて矢印で示す。）が人肌に触れるものとなって、通気性に優れるシャツ１Ａとして提供することができる。
【００１９】
なお、本実施形態では、後身頃部１１を構成する通気布１４、ヨーク部１１１および背腰部１１２が共に、前身頃部との接続部、袖部との接続部において、それぞれ縫着されてシャツ１Ａが形成される。そして、図２に示すように、外観から通気布１４が目視されるということもない。
【００２０】
（第２実施形態）
また、本考案に係るシャツ１Ｂは、図４、図５および図６に示すような布地によって作られる長袖のワイシャツとしても構成することができる。具体的には、上記第１実施形態のシャツ１Ａと同様、左の前身頃部に胸ポケットが設けられている左右の前身頃部、後身頃部１１、左右の袖部１２ａ，１２ｂ、衿部１３から構成され、後身頃部１１の裏面に、人肌に接する側の肩部から腰部にかけて、通気性の良いメッシュ素材の通気布１４が配置され、この通気布１４を覆うように布地が配置されて２重構造とされるものである。なお、上記第１実施形態のシャツ１Ａと同様、左右の前身頃部、後身頃部１１、左右の袖部１２ａ，１２ｂ、衿部１３および胸ポケットは、同じ布地で形成すればよい。
【００２１】
上記第１実施形態と異なるのは、図５に示すように、後身頃部１１の通気布１４を覆う布地が、一枚の後身頃用布地１１３で形成される点である。そして、通気布１４と後身頃用布地１１３とは、適宜の間隔で閂止めＡにより縫着されている。また、後身頃部１１における閂止めＡにより、通気布１４と後身頃用布地１１３との間に通気口Ｈが形成され、この通気口Ｈから通気布１４を通じて外気（図４、図６にて矢印で示す。）が人肌に触れるものとなって、通気性に優れるシャツ１Ｂとして提供することができる。
【００２２】
なお、本実施形態では、後身頃部１１を構成する通気布１４、後身頃用布地１１３が共に、前身頃部との接続部、袖部との接続部においてそれぞれ縫着され、本考案に係るシャツ１Ｂが形成される。本実施形態においても、図５に示すように、外観から通気布１４が目視されるということもない。上記第１実施形態と比べれば、後身頃においてヨーク部を敢えて別の構成要素としないために、スッキリとした印象を看者に与える意匠のシャツ１Ｂとなる。
【００２３】
したがって、上記各実施形態にて述べたように、本考案では、人肌に接する側の肩部から腰部までを、通気性の良いメッシュ素材の通気布１４とし、この通気布１４を覆うようにカバー布（ヨーク部１１１および背腰部１１２、または後身頃用布地１１３）を配置して後身頃部１１を２重構造にして構成し、特に、通気布１４とカバー布とを間隔をおいて複数個所、閂止めＡにより縫着するとともに、通気布１４とカバー布とで外気へ通じる通気口Ｈを形成したので、メッシュ素材の通気布１４により、発汗などによってシャツ内部が蒸れてしまうことを防ぐことができ、この通気布１４を覆うようにカバー布を配置しているので、外部から通気布１４が見えることないのでデザイン的に優れるものとすることができる。さらに、外気へ通じる通気口Ｈを形成したので、より一層通気性のよいシャツ１Ａ，１Ｂに仕上げて提供することを可能としている。
【００２４】
また、後身頃部１１の少なくとも肩部から腰部にかけては、通気布１４とカバー布（ヨーク部１１１および背腰部１１２、または後身頃用布地１１３）との２重構造となるもののであるが、通気布１４とカバー布が共に、前身頃部との接続部、袖部との接続部においてそれぞれ縫着されているので、着用時に通気布１４とカバー布とがずれて着心地が悪いといった問題も生じないものとなる。なお、上記各実施形態のように構成されたシャツ１Ａ，１Ｂは、いずれも外観のデザイン的にも優れるものということができる。
【００２５】
以上、本考案について、いくつかの実施形態を例示して説明したが、本考案は上記各実施形態に限定されるものではなく、実用新案登録請求の範囲に記載された本考案を逸脱することがなければ、種々の設計変更が可能である。例えば、間隔をおいて複数個所に設ける閂止めの位置は、通気布とカバー布と外気へ通じる通気口が形成されるような位置である限り、適宜決定すればよい。閂止めの個所同士の幅は、シャツのサイズ等によっても異なってくるからである。また、閂止めの位置は、図示して説明した以外にも様々なバリエーションを取りうることができる。なお、本考案は、半袖のシャツ等にも適用可能であることはいうまでもない。
【符号の説明】
【００２６】
１Ａ，１Ｂ・シャツ
１１・・・・後身頃部
１１１・・・ヨーク部
１１１ａ・・下縁部
１１２・・・背腰部
１１２ａ・・上縁部
１１３・・・後身頃用布
１２ａ・・・左袖部
１２ｂ・・・右袖部
１３・・・・衿部
１４・・・・通気布
１４１・・・重ね合わせ部
Ａ・・・・・閂止め
Ｈ・・・・・通気口
【図１】
0003164252.tif 000003
【図２】
0003164252.tif 000004
【図３】
0003164252.tif 000005
【図４】
0003164252.tif 000006
【図５】
0003164252.tif 000007
【図６】
0003164252.tif 000008